(57)【要約】【課題】より多様な動作を実現することができる換気ユニットおよび換気システムを提供する。【解決手段】換気ユニット３の下側筐体３０の底面３０ａに第１の孔３０１および第２の孔３０２を形成し、かつ、第１の孔３０１を開閉する第１のシャッタ部および第２の孔３０２を開閉する第２のシャッタ部を設けることにより、上側筐体３２の開口３２ｂと第１の孔３０１および第２の孔３０２とを選択的に連通させることが可能となるので、温風取り入れ動作、融雪運転動作、屋内排気動作、涼風取り入れ動作などの多様な動作を実現することができる。【選択図】  図４
2009058177.tif 000002
【特許請求の範囲】
【請求項１】
家屋の屋根の上に配設され、底面が家屋内部に露出する箱体と、
前記箱体の一の側面に形成された開口と、
前記箱体の底面に形成された第１の孔および前記第２の孔と
前記第１の孔および第２の孔の少なくとも一方を開閉するシャッタと
を有することを特徴とする換気ユニット。
【請求項２】
前記シャッタは、
前記第１の孔を開閉する第１のシャッタと、
前記第２の孔を開閉する第２のシャッタと
から構成されることを特徴とする請求項１記載の換気ユニット。
【請求項３】
前記シャッタは、
前記第２の孔を開閉する第３のシャッタと、
前記第１の孔および前記第３のシャッタを同時に開閉する第４のシャッタと
から構成されることを特徴とする請求項１記載の換気ユニット。
【請求項４】
前記第１の孔は、前記家屋内部の所定の箇所と連通に配設されたダクトの他端が接続される
ことを特徴とする請求項１乃至３の何れか１項に記載の換気ユニット。
【請求項５】
家屋の屋根に配設され、両端に開口を有する空気流路と、
前記屋根の上に配設され、底面が前記家屋内部に露出する箱体と、前記箱体の一の側面に形成され前記空気流路の一端の開口と接続された開口と、前記箱体の底面に形成された第１の孔および第２の孔と、前記第１の孔および前記第２の孔の少なくとも一方を開閉するシャッタとを有する換気ユニットと、
一端が前記第１の孔に接続され、他端が前記家屋内部の所定の箇所に配設され、前記一端側から前記他端側に送風する第１のファンを有するダクトと、
前記第２の孔に隣接して前記家屋内部に配設され、前記第２の孔に向けて送風する第２のファンと
を備えたことを特徴とする換気システム。
【請求項６】
前記シャッタは、前記第１の孔を開閉する第１のシャッタと、前記第２の孔を開閉する第２のシャッタとから構成され、
前記家屋内部に配設され前記家屋内部の温度を測定する室温センサと、
前記家屋外部に配設され前記家屋外部の温度を測定する外気温センサと、
前記空気流路の内部に配設され前記集熱手段内部の温度を測定する棟温センサと、
前記第１のシャッタを駆動する駆動手段と、
前記室温センサ、前記外気温センサ、前記吸気センサ、前記第１のファン、前記第２のファンおよび前記駆動手段に接続され、前記室温センサ、前記外気温センサおよび前記棟温センサの測定値に基づいて前記駆動手段、前記第１のファンおよび前記第２のファンを駆動させる制御手段と
をさらに備え、
前記第２のシャッタは、前記第２のファンによる風力で開閉する
ことを特徴とする請求項５記載の換気システム。
【請求項７】
前記換気ユニットと前記ダクトとの間に設けられ、中空の形状を有し、第３の孔と、この第３の孔を開閉する第５のシャッタとを有する収集手段
をさらに備え、
前記第５のシャッタは、少なくとも前記収集手段の内部の気圧が外部の気圧以上のときに前記開口を閉じる
ことを特徴とする請求項５または６記載の換気システム。
【請求項８】
前記シャッタは、前記第２の孔を開閉する第３のシャッタと、前記第１の孔および前記第３のシャッタを同時に開閉する第４のシャッタとから構成され、
前記家屋内部に配設され前記家屋内部の温度を測定する室温センサと、
前記家屋外部に配設され前記家屋外部の温度を測定する外気温センサと、
前記空気流路の内部に配設され前記集熱手段内部の温度を測定する棟温センサと、
前記家屋外部に配設され降雪を検出する降雪センサと、
前記第４のシャッタを駆動する駆動手段と、
前記室温センサ、前記外気温センサ、前記吸気センサ、前記降雪センサ、前記第１のファン、前記第２のファンおよび前記駆動手段に接続され、前記室温センサ、前記外気温センサおよび前記棟温センサの測定値に基づいて前記駆動手段、前記第１のファンおよび前記第２のファンを駆動させる制御手段と
をさらに備え、
前記第３のシャッタは、前記第２のファンによる風力で開閉する
ことを特徴とする請求項５記載の換気システム。
【請求項９】
前記換気ユニットの前記第２の孔と前記ダクトとの間に設けられ、中空の形状を有し、第４の孔と、この第４の孔または前記第２の孔を交互に開閉する第６のシャッタとを有する収集手段と、
第６のシャッタを駆動する第２の駆動手段と
をさらに備え
前記制御手段は、前記第２の駆動手段を駆動させる
ことを特徴とする請求項８記載の換気システム。
【請求項１０】
前記換気ユニットは、前記箱体の開口が形成された側面と異なる一の側面に開口が形成される
ことを特徴とする請求項８または９記載の換気システム。
【請求項１１】
前記換気ユニットは、前記位置の側面に配設され、前記箱体内部から外部に向けて送風する第３のファンをさらに備え、
前記制御手段は、前記第３のファンを駆動させる
ことを特徴とする請求項１０記載の換気システム。
【発明の詳細な説明】
【技術分野】
【０００１】
本発明は、外気を家屋内部に取り込んだり、家屋内部の空気を循環させたりする換気ユニットおよびこの換気ユニットを用いた換気システムに関するものである。
【背景技術】
【０００２】
近年、地球環境保全・公害防止・エネルギー問題などから、自然エネルギーの利用が注目を集めている。住居等の建造物の分野においては、太陽エネルギーを利用して室内暖房、冷房、換気、除湿、給湯等を行うシステムが開発されている（例えば、特許文献１参照。）。
【０００３】
特許文献１に開示されたシステムは、空気式のソーラーシステムであり、屋根に設けられた集熱部と、集熱部からの空気の取り入れ口および家屋の天井等に設けられた空気の取り入れ口に接続されたハンドリングボックスと、一端がハンドリングボックスに接続され他端が家屋の各部屋や床下等に接続されたダクトとを備える。ここで、ハンドリングボックスの内部には、集熱部からの空気の取り入れ口と家屋上部の空気の取り入れ口とを交互に塞ぐシャッタが設けられている。このシャッタにより家屋上部の取り入れ口が塞がれると、集熱部とダクトとが連通するので、集熱部の空気が各部屋や床下から供給される。これにより、家屋内部を暖めることができる。一方、シャッタにより集熱部からの空気の取り入れ口が塞がれると、家屋上部とダクトとが連通するので、家屋上部の空気が各部屋や床下から供給される。これにより、家屋内部の空気を循環させることができる。
【０００４】
【特許文献１】特開平５−７９７０７号公報
【発明の開示】
【発明が解決しようとする課題】
【０００５】
しかしながら、従来のシステムでは、集熱部からの暖気を取り入れたり家屋内部の空気を循環させたりするなどの単純な動作しかできず、例えば、屋根に積もった雪を溶かしたり、夏の日中に屋根を冷やすなど多様な動作を行うことができなかった。
【０００６】
そこで、本願発明は、より多様な動作を実現することができる換気ユニットおよび換気システムを提供することを目的とする。
【課題を解決するための手段】
【０００７】
上述したような課題を解決するために、本発明に係る換気ユニットは、家屋の屋根の上に配設され、底面が家屋内部に露出する箱体と、箱体の一の側面に形成された開口と、箱体の底面に形成された第１の孔および第２の孔と第１の孔および第２の孔の少なくとも一方を開閉するシャッタとを有することを特徴とする。
【０００８】
上記換気ユニットにおいて、シャッタは、第１の孔を開閉する第１のシャッタと、第２の孔を開閉する第２のシャッタとから構成される。
【０００９】
また、上記換気ユニットにおいて、シャッタは、第２の孔を開閉する第３のシャッタと、第１の孔および第３のシャッタを同時に開閉する第４のシャッタとから構成されるようにしてもよい。
【００１０】
上記換気ユニットにおいて、第１の孔は、家屋内部の所定の箇所と連通に配設されたダクトの他端が接続されるようにしてもよい。
【００１１】
また、本発明に係る換気システムは、家屋の屋根に配設され、両端に開口を有する空気流路と、屋根の上に配設され、底面が家屋内部に露出する箱体と、箱体の一の側面に形成され空気流路の一端の開口と接続された開口と、箱体の底面に形成された第１の孔および第２の孔と、第１の孔および第２の孔の少なくとも一方を開閉するシャッタとを有する換気ユニットと、一端が第１の孔に接続され、他端が家屋内部の所定の箇所に配設され、一端側から他端側に送風する第１のファンを有するダクトと、第２の孔に隣接して家屋内部に配設され、第２の孔に向けて送風する第２のファンとを備えたことを特徴とする。ここで、空気流路は、屋根と、屋根の鉛直上方に所定距離離間した屋根板との隙間から構成され、軒側の端部と棟側の端部に開口を有する。棟側の端部の開口には、換気ユニットの開口が接続される。
【００１２】
上記換気システムにおいて、シャッタは、第１の孔を開閉する第１のシャッタと、第２の孔を開閉する第２のシャッタとから構成され、家屋内部に配設され家屋内部の温度を測定する室温センサと、家屋外部に配設され家屋外部の温度を測定する外気温センサと、空気流路の内部に配設され集熱手段内部の温度を測定する棟温センサと、第１のシャッタを駆動する駆動手段と、室温センサ、外気温センサ、吸気センサ、第１のファン、第２のファンおよび駆動手段に接続され、室温センサ、外気温センサおよび棟温センサの測定値に基づいて駆動手段、第１のファンおよび第２のファンを駆動させる制御手段とをさらに備え、第２のシャッタは、第２のファンによる風力で開閉するようにしてもよい。ここで、換気ユニットとダクトとの間に設けられ、中空の形状を有し、第３の孔と、この第３の孔を開閉する第５のシャッタとを有する収集手段をさらに備え、第５のシャッタは、少なくとも収集手段の内部の気圧が外部の気圧以上のときに開口を閉じるようにしてもよい。
【００１３】
また、上記換気システムにおいて、シャッタは、第２の孔を開閉する第３のシャッタと、第１の孔および第３のシャッタを同時に開閉する第４のシャッタとから構成され、家屋内部に配設され家屋内部の温度を測定する室温センサと、家屋外部に配設され家屋外部の温度を測定する外気温センサと、空気流路の内部に配設され集熱手段内部の温度を測定する棟温センサと、家屋外部に配設され降雪を検出する降雪センサと、第４のシャッタを駆動する駆動手段と、室温センサ、外気温センサ、吸気センサ、降雪センサ、第１のファン、第２のファンおよび駆動手段に接続され、室温センサ、外気温センサおよび棟温センサの測定値に基づいて駆動手段、第１のファンおよび第２のファンを駆動させる制御手段とをさらに備え、第３のシャッタは、第２のファンによる風力で開閉するようにしてもよい。ここで、換気ユニットの第２の孔とダクトとの間に設けられ、中空の形状を有し、第４の孔と、この第４の孔または第２の孔を交互に開閉する第６のシャッタとを有する収集手段と、第６のシャッタを駆動する第２の駆動手段とをさらに備え、制御手段は、第２の駆動手段を駆動させるようにしてもよい。また、換気ユニットは、箱体の開口が形成された側面と異なる一の側面に配設され、箱体内部から外部に向けて送風する第３のファンをさらに備え、制御手段は、第３のファンを駆動させるようにしてもよい。
【００１４】
また、上記換気システムにおいて、換気ユニットは、箱体の開口が形成された側面と異なる一の側面に開口が形成されるようにしてもよい。ここで、換気ユニットは、位置の側面に配設され、箱体内部から外部に向けて送風する第３のファンをさらに備え、制御手段は、第３のファンを駆動させるようにしてもよい。
【発明の効果】
【００１５】
本発明によれば、側面に開口が形成された筺体の底面に第１の孔および第２の孔と、第１の孔および第２の孔の少なくとも一方を開閉するシャッタとを備えることにより、開口と第１の孔および第２の孔とを選択的に連通させることが可能となるので、多様な動作を実現することができる。
【発明を実施するための最良の形態】
【００１６】
［第１の実施の形態］
以下、図面を参照して、本発明の第１の実施の形態について詳細に説明する。
【００１７】
＜換気システム＞
図１〜図３に示すように、本実施の形態に係る換気システム１は、家屋１１の屋根１２に配設された集熱部２と、この集熱部２に接続され集熱部２により加熱された空気（以下、「加熱空気」と呼ぶ）を家屋１１内に導入する換気ユニット３と、この換気ユニット３の一方の開口に接続され加熱空気または家屋１１上方の空気（以下、「上部空気」と呼ぶ）を収集する収集部４と、この収集部４に接続され加熱空気または上部空気を家屋１１内部に放出するダクト５と、換気ユニット３の他方の開口に設置された逆送ファン６と、換気ユニット３等の動作を制御することにより換気システム１の動作を制御する制御盤７とから構成される。
【００１８】
≪集熱部≫
集熱部２は、屋根１２の上方に離間して設けられた屋根板１３と、屋根板１３の軒先に形成される空気取り入れ口１４と、屋根１２と屋根板１３との隙間により形成される空気流路１５とから構成される。屋根１２は、所定の勾配を有し、屋根板１３も屋根１２と同等の勾配を有するように配設される。これにより、空気流路１５として作用する隙間が形成される。また、屋根板１３は、例えば、金属製のプレートやスレート屋根材から構成され、太陽光線により加熱される。これにより、屋根１２と屋根板１３により空気層が構成され、空気流路を通過する空気は、太陽光により効果的に暖められる。なお、屋根１２を金属製のプレートやスレート屋根材、屋根板１３を透明なプレートにするようにしてもよい。このようにしても、空気流路を通過する空気を太陽光により暖めることができる。
【００１９】
≪換気ユニット≫
換気ユニット３は、図４，図５に示すように、箱体の形状を有する下側筺体３０と、この下側筐体３０の上部に設けられたフランジ部３１と、箱の形状を有しフランジ部３１の上面に設けられた上側筐体３２とを備える。
【００２０】
下側筐体３０は、上面が開口した略直方体の形状を有する。このような下側筐体３０の底面３０ａには、その長手方向の略中央部で半分に分割した領域のうち一方に第１の孔３０１が、他方に第２の孔３０２が形成されている。また、底面３０ａの第１の孔３０１が形成された方の領域には、第１のシャッタ部３０３が設けられ、第２の孔３０２が形成された方の領域には、第２のシャッタ部３０４が設けられている。
【００２１】
第１のシャッタ部３０３は、平面視略矩形の板の形状を有する蓋部３０３ａと、この蓋部３０３ａを回動させる駆動部３０３ｂとを有する。蓋部３０３ａは、下側筐体３０の底面３０ａをその長手方向の略中央部で半分に分割した形状に対応する形状を有する。このような蓋部３０３ａは、底面３０ａに載置したとき、その底面３０ａの長手方向に沿った一方の辺の側の側部を支点として回動可能なように、底面３０ａ近傍に配設される。駆動部３０３ｂは、ダンパーモータ等の公知のモータから構成されており、下側筐体３０の底面３０ａ近傍に設けられ、蓋部３０３ａの回動可能に支持された側部に接続されて、制御盤７からの制御信号に基づいて駆動し、蓋部３０３ａを回動させる。したがって、第１のシャッタ部３０３は、駆動部３０３ｂにより蓋部３０３ａを底面３０ａ上と筺体３０上方との間で移動させることにより、第１の孔３０１を開閉することとなる。すなわち、蓋部３０３ａを底面３０ａ上に載置させることにより第１の孔３０１を塞ぎ、蓋部３０３ａを底面３０ａ上から筐体３０の上方に移動させることにより第１の孔３０１を露出させる。
【００２２】
第２のシャッタ部３０４は、平面視略矩形の板の形状を有する蓋部３０４ａと、この蓋部３０４ａを下側筐体３０の底面３０ａに対して回動可能に支持する支持部３０４ｂとを有する。蓋部３０４ａは、下側筐体３０の底面３０ａをその長手方向の略中央部で半分に分割した形状に略対応する形状を有する。このような蓋部３０４ａは、図６に示すように、底面３０ａの長手方向に沿った辺と対向する一方の側面の側部近傍が、底面３０ａに支持部３０４ｂを介してねじや鋲などの一対の連結部材３０４ｃにより螺着される。ここで、支持部３０４ｂには、下側筐体３０の底面３０ａに対して斜めに形成された直線状の孔からなるガイド３０４ｄが設けられている。これにより、蓋部３０４ａは、一対の連結部材３０４ｃを通る軸を回動軸として回動可能に、かつ、ガイド３０４ｄに沿って移動可能に支持される。したがって、第２のシャッタ部３０４は、逆送ファン６により蓋部３０４ａを底面３０ａ上と筺体３０上方との間で移動させることにより、第２の孔３０２を開閉する。すなわち、蓋部３０４ａが底面３０ａ上にあるとき第２の孔３０２を塞ぎ、蓋部３０４ａが底面３０ａ上から筺体３０の上方に移動したとき第２の孔３０２を露出させる。
【００２３】
なお、本実施の形態では、第１のシャッタ部３０３および第２のシャッタ部３０４は、それぞれの蓋部３０３ａおよび蓋部３０４ａが互い違いの方向、すなわち蓋部３０３ａは底面３０ａから集熱部２と反対側に移動し、蓋部３０４ａは底面３０ａから集熱部２側に開くように配設されているが、同じ方向に開くように配設するようにしてもよい。
【００２４】
また、底面３０ａは、図６に示すように、上面から下面に向けて掘り込まれた平面視略矩形の凹部からなる収容部３０４ｅを設けるようにしてもよい。この場合、第２の孔３０２は、収容部３０４ｅの底面に形成され、蓋部３０４ａを収容部３０４ｅ内部に配設すると、蓋部３０４ａにより第２の孔３０２が塞がれる。また、収容部３０４ｅの支持部３０４ｂが設けられていない一方の側面３０４ｆは、収容部３０４ｅの底面と鈍角を形成するような傾斜をつけて形成するようにしてもよい。これにより、蓋部３０４ａがガイド３０４ｄに沿って移動したときに、その移動方向の端部が底面３０ａに接触しないので、蓋部３０４ａの移動を円滑に行うことができる。また、蓋部３０４ａを収容部３０４ｅに収容した状態において、側面３０４ｆと反対側の面に近接した端部には、磁石３０４ｇを配設するようにしてもよい。この磁石３０４ｇは、蓋部３０４ａの表面または内部に配設され、対向する位置には収容部３０４ｅの底面の一部が存在する。
【００２５】
このような蓋部３０４ａは、非磁性体、望ましくはアルミニウムまたはアルミニウム合金から構成される。また、底面３０ａは、磁性体、望ましくは金属から構成される。このとき、蓋部３０４ａ全体を金属で形成するのみならず、表面の一部を金属で形成し、内部は発泡剤を充填するようにしてもよい。
【００２６】
フランジ部３１は、平面視略矩形の板の形状を有し、その中央部には下側筐体３０の上面の形状に対応する開口が形成されている。このようなフランジ部３１は、その開口と下側筐体３０の上面の開口とが連続するように、下側筐体３０の上面に配設される。
【００２７】
上側筐体３２は、下面が開口した略直方体の形状を有する。このような上側筐体３２は、フランジ部３１の上面に、フランジ部３１に形成された開口を覆うように配設される。また、上側筐体３２の棟側の側面３２ａには、開口３２ｂが形成されている。この開口３２ｂは、集熱部２の空気流路１５の棟側の端部が接続される。これにより、開口３２ｂを介して、空気取り入れ口１４から流入してきた気体が換気ユニット３内部に流入したり、換気ユニット３内部の気体が空気流路１５に流出したりする。
【００２８】
このような換気ユニット３は、下側筐体３０の底面の形状に対応する開口を屋根１２に形成し、この開口に下側筐体３０をはめ込み、フランジ部３１を屋根１２に引っかけるという簡単な作業で屋根１２上に配設される。
【００２９】
≪収集部≫
収集部４は、全体として略直方体または略正方体の形状を有する筐体４１と、この筐体４１の側面４１ａに設けられた第３のシャッタ部４２とから構成される。このような収集部４は、換気ユニット３の下側筐体３０の底面の第１の孔３０１に筐体４１の上面を接続することにより、家屋１１内部上方に配設される。
【００３０】
筐体４１は、上面が開口した箱の形状を有し、その開口した上面が下側筐体３０の第１の孔３０１を覆うように、下側筐体３０の下面に接続される。筐体４１の底面には、ダクト５が接続されている。また、側面４１ａには、第３の孔４１ｂが形成されている。
【００３１】
第３のシャッタ部４２は、図７に示すように、第２のシャッタ部３０４を鉛直方向に沿って設けた構成を有し、平面視略矩形の板の形状を有する蓋部４２ａと、この蓋部４２ａを筐体４１の側面４１ａに対して回動可能に支持する支持部４２ｂとを有する。蓋部４２ａは、鉛直上方、すなわち換気ユニット３に対向する側面の側部近傍が、側面４１ａに支持部４２ｂを介してねじや鋲などの一対の連結部材４２ｃにより螺着される。ここで、支持部４２ｂには、筐体４１の側面４１ａに対して斜めに形成された直線状の孔からなるガイド４２ｄが設けられている。これにより、蓋部４２ａは、一対の連結部材４２ｃを支点として回動可能に、かつ、ガイド４２ｄに沿って移動可能に支持される。
【００３２】
なお、側面４１ａは、図７に示すように、筐体４１の内部側から外部側に向けて掘り込まれた平面視略矩形の凹部からなる収容部４２ｅを設けるようにしてもよい。この場合、第３の孔４１ｂは、収容部４２ｅの底面に形成され、蓋部４２ａを収容部４２ｅ内部に配設すると、蓋部４２ａにより第３の孔４１ｂが塞がれる。また、収容部４２ｅの支持部４２ｂが設けられていない一方の側面４２ｆは、収容部４２ｅの底面と鈍角を形成するような傾斜をつけて形成するようにしてもよい。これにより、蓋部４２ａがガイド４２ｄに沿って移動したときに、その移動方向の端部が側面４１ａに接触しないので、蓋部４２ａの移動を円滑に行うことができる。また、蓋部４２ａを収容部４２ｅに収容した状態において、側面４２ｆと反対側の面に近接した端部には、磁石４２ｇを配設するようにしてもよい。この磁石４２ｇは、蓋部４２ａの表面または内部に配設され、対向する位置には収容部４２ｅの底面の一部が存在する。
【００３３】
このような側面４１ａは、磁性体、望ましくは金属から構成される。また、蓋部４２ａは、非磁性体、望ましくはアルミニウムまたはアルミニウム合金から構成される。このとき、蓋部４２ａ全体を金属で形成するのみならず、表面の一部を金属で形成し、内部は発泡剤を充填するようにしてもよい。
【００３４】
≪ダクト≫
ダクト５は、一端が収集部４の筐体４１の底面に接続された公知の配管からなる上部ダクト５１と、この上部ダクト５１の他端が接続された公知のファンからなる取り入れファン５２と、一端が取り入れファン５２に他端が家屋１１の床１６の下に接続された公知の配管からなる下部ダクト５３とから構成される。
【００３５】
なお、本実施の形態では、下部ダクトの一端が床１６の下に接続されるようにしたが、例えば、各部屋の天井や床近傍など天井裏を除く家屋１１内部であれば適宜自由に設定することができる。
【００３６】
≪逆送ファン≫
逆送ファン６は、公知のファンから構成され、換気ユニット３の下側筐体３０の下面に第２の孔３０２を覆うように設けられる。このような逆送ファン６は、第２の孔３０２、すなわち第２のシャッタ部３０４の蓋部３０４ａに向けて送風する。
【００３７】
≪制御盤≫
制御盤７は、家屋１１内部に配設され家屋１１内部の気温を測定する室温センサ７１、家屋１１外部に配設され家屋１１外部の気温を測定する外気温センサ７２、屋根１２の棟近傍に配設され集熱部２で生成された加熱空気の温度を測定する棟温センサ７３、屋根１２近傍に配設され降雪を検出する降雪センサ７４、換気ユニット３の駆動部３０３ｂ、ダクト５の取り入れファン５２および逆送ファン６に接続されている。これにより、制御盤７は、室温センサ７１、外気温センサ７２、棟温センサ７３および降雪センサ７４による測定値に基づいて、駆動部３０３ｂ、取り入れファン５２および逆送ファン６の動作制御を行う。
【００３８】
このような制御盤７は、ＣＰＵ等の演算装置、メモリやＨＤＤ(Hard Disc Drive)等の記憶装置、ボタンやキー等の入力装置、蛍光表示管、ＬＣＤ(Liquid Crystal Display)、有機ＥＬ(Electro Luminescence)等の表示装置、外部との情報の送受信を行うＩ／Ｆ(Intrerface)装置等を備えたコンピュータまたはコントローラと、これにインストールされたプログラムとから構成される。すなわち、ハードウェア資源とソフトウェアが協働することによって、上記ハードウェア資源がプログラムによって制御されることにより、上述したような駆動部３０３ｂ、取り入れファン５２および逆送ファン６の動作制御が行われる。
【００３９】
なお、制御盤７には、ユーザの操作入力を検出する入力装置７５をさらに設けるようにしてもよい。ユーザは、入力装置７５を操作することにより、上述した駆動部３０３ｂ、取り入れファン５２および逆送ファン６を駆動させることができる。
【００４０】
＜換気システムの動作＞
次に、本実施の形態の換気システム１の動作について説明する。この換気システム１では、少なくとも「温風取り入れ」、「融雪運転」、「屋内排気」、「涼風取り入れ」の４つの動作を行うことができる。それぞれについて、図８〜図１１を参照して以下に説明する。
【００４１】
≪温風取り入れ≫
まず、図８に示すように例えば冬の日中など、太陽光（符号ａで示す）により集熱部２で生成された加熱空気を家屋１１内部に取り込む場合について説明する。
【００４２】
室温センサ７１および棟温センサ７３により室温および室温の設定温度が加熱空気の温度よりも低いことが検出されると、制御盤７は、図８（ａ）に示すように第１のシャッタ部３０３の駆動部３０３ｂを駆動させて蓋部３０３ａを換気ユニット３側に移動させることにより第１の孔３０１を露出させる。一方、図８（ｂ）に示すように第２のシャッタ部３０４については、逆送ファン６を駆動させないことにより、蓋部３０４ａにより第２の孔３０２を閉塞させる。これにより、空気取り入れ口１４と床１６の下部とが、集熱部２、換気ユニット３，収集部４およびダクト５を介して連通した状態となる。このような状態において、制御盤７は、取り入れファン５２を駆動させる。すると、加熱空気は、換気ユニット３および収集部４を介してダクト５から床１６の下を通って家屋１１内部に供給される。これにより、家屋１１内部の温度を上昇させることができる。
【００４３】
なお、取り入れファン５２を駆動させたとき、収集部４の第３のシャッタ部４２は、蓋部４２ｂの自重や磁石４２ｇの磁力により、第３の孔４１ｂが閉じた状態が維持される。
【００４４】
≪融雪運転≫
次に、図９に示すように例えば雪（符号ｂで示す）が降ることにより、屋根１２または屋根板１３上に積もった雪を溶かしたり屋根板１３上に雪が積もるのを防いだりする場合について説明する。
【００４５】
例えば、降雪センサ７４により雪が降っていることが検出されると、制御盤７は、図９（ｂ）に示すように、逆送ファン６を駆動させる。すると、逆送ファン６による風圧で、蓋部３０４ａが換気ユニット３側に移動して第２の孔３０２が露出した状態となる。このとき、第１のシャッタ部３０３については、図９（ａ）に示すように、駆動部３０３ｂを駆動させて蓋部３０３ａを収集部４側に移動させることにより第１の孔３０１を閉塞させる。これにより、空気取り入れ口１４と第２の孔３０２とが集熱部２および換気ユニット３を介して連通した状態となるので、第２の孔３０２から換気ユニット３内部に取り込まれた上部空気は、換気ユニット３を介して集熱部２を通り空気取り入れ口１４から家屋１１外部に排出される。これにより、屋根１２および屋根板１３は、集熱部２を通過する上部空気により加熱されることとなるので、屋根１２または屋根板１３上に積もった雪を溶かしたり、屋根板１３上に雪が積もるのを防いだりすることができる。
【００４６】
また、制御盤７は、図９（ａ）に示すように、取り入れファン５２を駆動させる。この取り入れファン５２を駆動させると、第１のシャッタ部３０３により第１の孔３０１が閉塞されているので、収集部４の筐体４１内部の気圧が外部よりも低くなり、この圧力差によって第３のシャッタ部４２の蓋部４２ａが換気ユニット３側に移動して第３の孔４１ｂが露出する。これにより、第３の孔４１ｂと床１６の下部とがダクト５を介して連通した状態となるので、第３の孔４１ｂから収集部４内部に取り込まれた上部空気は、ダクト５から床１６の下を通って家屋１１内部に供給される。このように、上部空気を床１６の下から供給して家屋１１内部の空気を循環させることにより、家屋１１内部の温度を均一に保つことができる。
【００４７】
従来の場合、集熱部に家屋内部の空気を供給しようとすると、例えば、家屋内部の空気が床下など居住者に近い位置から収集されるため、居住者近隣の気温を著しく下げてしまう恐れがあった。しかしながら、本実施の形態によれば、上部空気のみを集熱部２に供給し、かつ、家屋１１内部の空気を循環させるので、居住者近隣の気温をある程度均一に保ちながら融雪することができる。
【００４８】
なお、上述した融雪動作は、ユーザの操作入力に基づいて行うようにしてもよい。例えば、ユーザが雪が降り出したり雪が積もったりしたことを観察することにより入力装置７５を操作して、駆動部３０３ｂ、取り入れファン５２および逆送ファン６を駆動させ、上述した融雪動作を行うようにしてもよい。
【００４９】
≪屋内排気≫
次に、図１０に示すように、例えば夏の日中など屋根裏や天井部の高温となった上部空気を排出する場合について説明する。
【００５０】
例えば、室温センサ７１および棟温センサ７３により、加熱空気の温度が室温よりも高い所定の温度に達したことを検出すると、制御盤７は、図１０（ｂ）に示すように、逆送ファン６を駆動させる。すると、逆送ファン６による風圧で、蓋部３０４ａが換気ユニット３側に移動して第２の孔３０２が露出した状態となる。このとき、第１のシャッタ部３０３については、図１０（ａ）に示すように、駆動部３０３ｂを駆動させて蓋部３０３ａを収集部４側に移動させることにより第１の孔３０１を閉塞させる。これにより、空気取り入れ口１４と第２の孔３０２とが集熱部２および換気ユニット３を介して連通した状態となるので、第２の孔３０２から換気ユニット３内部に取り込まれた上部空気は、換気ユニット３を介して集熱部２を通り空気取り入れ口１４から家屋１１外部に排出される。これにより、上部空気を家屋１１外部に排出することができる。また、屋根１２および屋根板１３は、集熱部２を通過する上部空気により冷却されることとなるので、家屋１１全体の温度を低下させることもできる。
【００５１】
また、制御盤７は、図１０（ａ）に示すように、取り入れファン５２を駆動させる。この取り入れファン５２を駆動させると、第１のシャッタ部３０３により第１の孔３０１が閉塞されているので、収集部４の筐体４１内部の気圧が外部よりも低くなり、この圧力差によって第３のシャッタ部４２の蓋部４２ａが換気ユニット３側に移動して第３の孔４１ｂが露出する。これにより、第３の孔４１ｂと床１６の下部とがダクト５を介して連通した状態となるので、第３の孔４１ｂから収集部４内部に取り込まれた上部空気は、ダクト５から床１６の下を通って家屋１１内部に供給される。このように、上部空気を床１６の下から供給して家屋１１内部の空気を循環させることにより、家屋１１内部の温度を均一に保つことができる。
【００５２】
従来の場合、集熱部に家屋内部の空気を供給しようとすると、例えば、家屋内部の空気が床下など居住者に近い位置から収集されるため、居住者近隣の気温が上がってしまう恐れがあった。しかしながら、本実施の形態によれば、上部空気のみを集熱部２に供給し、かつ、家屋１１内部の空気を循環させるので、居住者近隣の気温をある程度均一に保ちながら屋根１２および屋根板１３の温度を低下させることができる。
【００５３】
≪涼風取り入れ≫
次に、図１１に示すように、例えば夏の夜など、放射冷却（符号ｃで示す）などにより冷却された集熱部２や家屋１１外部の空気（以下、「冷却空気」と呼ぶ）を家屋１１内部に取り込む場合について説明する。
【００５４】
例えば、室温センサ７１，外気温センサ７２および棟温センサ７３により、家屋１１外部の気温が、家屋１１内部の気温および家屋１１内部の設定温度よりも低いことが検出されると、制御盤７は、図１１（ａ）に示すように第１のシャッタ部３０３の駆動部３０３ｂを駆動させて蓋部３０３ａを換気ユニット３側に移動させることにより第１の孔３０１を露出させる。一方、図１１（ｂ）に示すように第２のシャッタ部３０４については、逆送ファン６を駆動させないことにより、蓋部３０４ａにより第２の孔３０２を閉塞させる。これにより、空気取り入れ口１４と床１６の下部とが、集熱部２、換気ユニット３，収集部４およびダクト５を介して連通した状態となる。このような状態において、制御盤７は、取り入れファン５２を駆動させる。すると、冷却空気は、換気ユニット３および収集部４を介してダクト５から床１６の下を通って家屋１１内部に供給される。これにより、家屋１１内部の温度を低下させることができる。
【００５５】
なお、取り入れファン５２を駆動させたとき、収集部４の第３のシャッタ部４２は、蓋部４２ｂの自重や磁石４２ｇの磁力により、第３の孔４１ｂが閉じた状態が維持される。
【００５６】
以上説明したように、本実施の形態によれば、換気ユニット３の下側筐体３０の底面３０ａに第１の孔３０１および第２の孔３０２を形成し、かつ、第１の孔３０１を開閉する第１のシャッタ部３０３および第２の孔３０２を開閉する第２のシャッタ部３０４を設けることにより、上側筐体３２の開口３２ｂと第１の孔３０１および第２の孔３０２とを選択的に連通させることが可能となるので、上述した温風取り入れ動作、融雪運転動作、屋内排気動作、涼風取り入れ動作などの多様な動作を実現することができる。
【００５７】
なお、本実施の形態において、第２のシャッタ部３０４および第３のシャッタ部４２は、蓋部３０４ａおよび蓋部４２ａを水平方向または鉛直方向に沿って設置するようにしたが、水平方向または鉛直方向に対して斜めに設置するようにしてもよい。この場合、蓋部３０４ａまたは蓋部４２ａは、一対の連結部材を通る回動軸が、水平方向に沿い、かつ、連結部材が設けられた側面の回動軸と反対側の端部よりも鉛直上方に位置するように設けられる。
【００５８】
また、本実施の形態では、第２のシャッタ部３０４として逆送ファン６により開閉するシャッタを用いるようにしたが、第１のシャッタ部３０３のように駆動部３０３ｂにより駆動するシャッタを用いるようにしてもよい。
【００５９】
［第２の実施の形態］
次に、本発明の第２の実施の形態ついて詳細に説明する。なお、本実施の形態は、換気ユニット３に第１の孔３０１および第２のシャッタ３０４を開閉する第４のシャッタ３１１と、換気ユニット３の上側筐体３２の側面３２ａと対向する側面に排気ファン３３とを設け、かつ、収集部４に筐体４１の上面と側面４１に設けられた開口を開閉する第５のシャッタ４３とを設けるようにしたものである。したがって、本実施の形態において、上述した第１の実施の形態と同等の構成要素については、同じ名称および符号を付し、適宜説明を省略する。
【００６０】
≪換気ユニット≫
換気ユニット３は、図１２〜図１５に示すように、箱体の形状を有する下側筺体３０と、この下側筐体３０の上部に設けられたフランジ部３１と、箱の形状を有しフランジ部３１の上面に設けられた上側筐体３２とを備える。
【００６１】
下側筐体３０は、上面が開口した略直方体の形状を有する。このような下側筐体３０の底面３０ａには、その長手方向の略中央部で半分に分割した領域のうち一方に第１の孔３０１が、他方に第２の孔３０２が形成されている。底面３０ａの第２の孔３０２が形成された方の領域には、第２のシャッタ部３０４が設けられている。また、底面３０ａには、第２のシャッタ部３０４と第１の孔３０１とを覆うように第４のシャッタ部３１１が設けられている。
【００６２】
第４のシャッタ部３１１は、平面視略矩形の板の形状を有する蓋部３１１ａと、この蓋部３１１ａを回動させる駆動部３１１ｂとを有する。蓋部３１１ａは、下側筐体３０の底面３０ａに対応する形状を有する。このような蓋部３１１ａは、底面３０ａと協働して第２のシャッタ部３０４を挟むように、底面３０ａの第２のシャッタ部３０４上方に第２のシャッタ部３０４と隣接して設けられる。このとき、蓋部３１１ａは、底面３０ａの長手方向に沿った一方の辺の側の側部を支点として回動可能なように、底面３０ａ近傍に配設される。駆動部３１１ｂは、ダンパーモータ等の公知のモータから構成されており、下側筐体３０の底面３０ａ近傍に設けられ、蓋部３１１ａの回動可能に支持された側部に接続されて、制御盤７からの制御信号に基づいて駆動し、蓋部３１１ａを回動させる。したがって、シャッタ部３１１は、駆動部３１１ｂにより蓋部３１１ａを底面３０ａ上と筺体３０上方との間で移動させることにより、第１の孔３０１および第２のシャッタ部３０４を開閉することとなる。すなわち、蓋部３１１ａを底面３０ａ上方に載置させることにより第１の孔３０１および第２のシャッタ部３０４を塞ぎ、蓋部３１１ａを底面３０ａ上から筐体３０の上方に移動させることにより第１の孔３０１および第２のシャッタ部３０４を露出させる。なお、下側筺体３０の底面の蓋部３１１ａと当接する部分には、例えば発泡体等からなる部材を配設するようにしてもよい。これにより、換気ユニット３内部の気密性を向上させたり、蓋部３１１ａの縁部を保護したりすることができる。
【００６３】
また、上側筐体３２は、下面が開口した略直方体の形状を有する。このような上側筐体３２は、フランジ部３１の上面に、フランジ部３１に形成された開口を覆うように配設される。また、上側筐体３２の棟側の側面３２ａには、開口３２ｂが形成されている。この開口３２ｂは、集熱部２の空気流路１５の棟側の端部が接続される。これにより、開口３２ｂを介して、空気取り入れ口１４から流入してきた気体が換気ユニット３内部に流入したり、換気ユニット３内部の気体が空気流路１５に流出したりする。また、上側筐体３２の棟側の側面３２ａと対向する側面には、排気ファン３３が設けられている。排気ファン３３は、その側面の一部に形成された開口や側面に該当する部分の開口に配設される。このような排気ファン３３は、制御盤７からの制御信号に基づいて駆動する。
【００６４】
なお、本実施の形態において、第２のシャッタ部３０４の蓋部３０４ａは、図１３等によく示されるように、下側筐体３０ａの底面３０ａに埋設されるようにしてもよい。
【００６５】
≪収集部≫
収集部４は、全体として略直方体または略正方体の形状を有する筐体４１と、この筐体４１の側面４１ａに設けられた第５のシャッタ部４３とから構成される。このような収集部４は、換気ユニット３の下側筐体３０の下方に配設され、筐体４１の上面に形成された孔がダクトを介して下側筐体３０の底面の第１の孔３０１に接続される。
【００６６】
筐体４１は、上面に第４の孔４１ｃが形成された箱の形状を有し、その上面の第４の孔４１ｃと下側筐体３０の第１の孔３０１とがダクト４４により接続される。また、筐体４１の底面には、ダクト５が接続されている。また、側面４１ａには、第５の孔４１ｄが形成されている。
【００６７】
第５のシャッタ部４３は、平面視略矩形の板の形状を有する蓋部４３１と、この蓋部４３１を回動させる駆動部（図示せず）とを有する。蓋部４３１は、筺体４１の上面および側面４１ａに対応する形状を有している。このような蓋部４３１は、上面に当接させたとき、その上面の一つの辺に隣接する側部を支点として回動可能なように、上面近傍に配設される。駆動部は、ダンパモータ等の公知のモータから構成されており、筺体４１の上面近傍に設けられ、蓋部４３１の回動可能に支持された側部に接続されて、制御盤７からの制御信号に基づいて駆動し、蓋部４３１を回動させる。したがって、第５のシャッタ部４３は、駆動部により蓋部４３１を筺体４１の上面と側面４１ａとの間で移動させることにより、上面の第４の孔４１ｃと側面の第５の孔４１ｄを開閉することになる。すなわち、蓋部４３１を上面に当接させることにより第４の孔４１ｃを塞ぐとともに第５の孔４１ｄを露出させ、蓋部４３１を側面４１ａに当接させることにより第５の孔４１ｄを塞ぐとともに第４の孔４１ｃを露出させる。
【００６８】
＜換気システムの動作＞
次に、本実施の形態の換気システム１の動作について説明する。この換気システム１では、少なくとも「温風取り入れ」、「融雪運転」、「屋根熱排気」、「涼風取り入れ」の４つの動作を行うことができる。それぞれについて、図１６〜図１９を参照して以下に説明する。
【００６９】
≪温風取り入れ≫
まず、図１６に示すように例えば冬の日中など、太陽光（符号ａで示す）により集熱部２で生成された加熱空気を家屋１１内部に取り込む場合について説明する。
【００７０】
室温センサ７１および棟温センサ７３により室温および室温の設定温度が加熱空気の温度よりも低いことが検出されると、制御盤７は、図１６（ａ）に示すように、第４のシャッタ部３１１の駆動部３１１ｂを駆動させて蓋部３１１ａを換気ユニット３側に移動させることにより第１の孔３０１を露出させ、かつ、第５のシャッタ部４３の駆動部を駆動させて蓋部４３１を筺体４１の側面４１ａ側に移動させることにより第５の孔４１ｄを閉塞させる。一方、図１６（ｂ）に示すように第２のシャッタ部３０４については、逆送ファン６を駆動させないことにより、蓋部３０４ａにより第２の孔３０２を閉塞させる。これにより、空気取り入れ口１４と床１６の下部とが、集熱部２、換気ユニット３，収集部４およびダクト５を介して連通した状態となる。このような状態において、制御盤７は、取り入れファン５２を駆動させる。すると、加熱空気は、換気ユニット３および収集部４を介してダクト５から床１６の下を通って家屋１１内部に供給される。これにより、家屋１１内部の温度を上昇させることができる。
【００７１】
≪融雪運転≫
次に、図１７に示すように例えば雪（符号ｂで示す）が降ることにより、屋根１２または屋根板１３上に積もった雪を溶かしたり屋根板１３上に雪が積もるのを防いだりする場合について説明する。
【００７２】
例えば、降雪センサ７４により雪が降ってることが検出されると、制御盤７は、図１７（ｂ）に示すように、第４のシャッタ部３１１の駆動部３１１ｂを駆動させて蓋部３１１ａを換気ユニット３側に移動させることにより第２のシャッタ部３０４を露出させ、かつ逆送ファン６を駆動させる。すると、逆送ファン６による風圧で、蓋部３０４ａが換気ユニット３側に移動して第２の孔３０２が露出した状態となる。これにより、空気取り入れ口１４と第２の孔３０２とが集熱部２および換気ユニット３を介して連通した状態となるので、第２の孔３０２から換気ユニット３内部に取り込まれた上部空気は、換気ユニット３を介して集熱部２を通り空気取り入れ口１４から家屋１１外部に排出される。したがって、屋根１２および屋根板１３は、集熱部２を通過する上部空気により加熱されることとなるので、屋根１２または屋根板１３上に積もった雪を溶かしたり、屋根板１３上に雪が積もるのを防いだりすることができる。
【００７３】
また、制御盤７は、図１７（ａ）に示すように、第５のシャッタ部４３の駆動部を駆動させて蓋部４３１を筺体４１の上面側に移動させることにより第４の孔４１ｃを閉塞させるとともに第５の孔４１ｄを露出させ、かつ、取り入れファン５２を駆動させる。これにより、第５の孔４１ｄと床１６の下部とがダクト５を介して連通した状態となるので、第５の孔４１ｄから収集部４内部に取り込まれた上部空気は、ダクト５から床１６の下を通って家屋１１内部に供給される。このように、上部空気を床１６の下から供給して家屋１１内部の空気を循環させることにより、家屋１１内部の温度を均一に保つことができる。このとき、家屋１１内部においてヒータ等の暖房機器を使用することにより、家屋１１全体をより効果的に温めることができる。
【００７４】
従来の場合、集熱部に家屋内部の空気を供給しようとすると、例えば、家屋内部の空気が床下など居住者に近い位置から収集されるため、居住者近隣の気温を著しく下げてしまう恐れがあった。しかしながら、本実施の形態によれば、上部空気のみを集熱部２に供給し、かつ、家屋１１内部の空気を循環させるので、居住者近隣の気温をある程度均一に保ちながら融雪することができる。
【００７５】
なお、上述した融雪動作は、ユーザの操作入力に基づいて行うようにしてもよい。例えば、ユーザが雪が降り出したり雪が積もったりしたことを観察することにより入力装置７５を操作して、駆動部３０３ｂ、取り入れファン５２、逆送ファン６および第５のシャッタ部４３の駆動部を駆動させ、上述した融雪動作を行うようにしてもよい。
【００７６】
≪屋根熱排気≫
次に、図１８に示すように、例えば夏の日中などに高温となった屋根、すなわち集熱部２内部の空気を排出する場合について説明する。
【００７７】
例えば、室温センサ７１および棟温センサ７３により、加熱空気の温度が室温よりも高い所定の温度に達したことを検出すると、制御盤７は、図１８（ａ），図１８（ｂ）に示すように、第４のシャッタ部３１１の駆動部３１１ｂを駆動させて蓋部３１１ａを収集部４側に移動させることにより、第１の孔３０１および第２のシャッタ部３０４すなわち第２の孔３０２を閉塞させ、かつ排気ファン３３を駆動させる。これにより、空気取り入れ口１４と排気ファン３３とが集熱部２および換気ユニット３を介して連通した状態となるので、空気取り入れ口１４から集熱部２内部に取り込まれた加熱空気は、集熱部２および換気ユニット３を介して排気ファン３３から家屋１１外部に排出される。これにより、加熱空気は、家屋１１内部に取り込まれずに排出されることとなるので、家屋１１の温度が上昇するのを防ぐことができる。
【００７８】
また、制御盤７は、図１８（ａ）に示すように、第５のシャッタ部４３の駆動部を駆動させて蓋部４３１を筺体４１の上面側に移動させることにより第４の孔４１ｃを閉塞させるとともに第５の孔４１ｄを露出させ、かつ、取り入れファン５２を駆動させる。これにより、第５の孔４１ｄと床１６の下部とがダクト５を介して連通した状態となるので、第５の孔４１ｄから収集部４内部に取り込まれた上部空気は、ダクト５から床１６の下を通って家屋１１内部に供給される。このように、上部空気を床１６の下から供給して家屋１１内部の空気を循環させることにより、家屋１１内部の温度を均一に保つことができるとともに、家屋１１内部で生成された冷気を外部に逃すのを防ぐことができる。
【００７９】
本実施の形態によれば、空気取り入れ口１４から集熱部２内部に取り込まれたを換気ユニット３を介して排気ファン３３から家屋１１外部に排出し、かつ、家屋１１内部の空気を循環させるので、居住者近隣の気温をある程度均一に保ちながら屋根１２および屋根板１３の温度を低下させることができる。
【００８０】
≪涼風取り入れ≫
次に、図１９に示すように、例えば夏の夜など、放射冷却（符号ｃで示す）などにより冷却された集熱部２や家屋１１外部の空気（以下、「冷却空気」と呼ぶ）を家屋１１内部に取り込む場合について説明する。
【００８１】
例えば、室温センサ７１，外気温センサ７２および棟温センサ７３により、家屋１１外部の気温が、家屋１１内部の気温および家屋１１内部の設定温度よりも低いことが検出されると、制御盤７は、図１９（ａ）に示すように第４のシャッタ部３１１の駆動部３１１ｂを駆動させて蓋部３１１ａを換気ユニット３側に移動させることにより第１の孔３０１を露出させ、かつ、第５のシャッタ部４３の駆動部を駆動させて蓋部４３１を筺体４１の側面４１ａ側に移動させることにより第５の孔４１ｄを閉塞させる。一方、図１６（ｂ）に示すように第２のシャッタ部３０４については、逆送ファン６を駆動させないことにより、蓋部３０４ａにより第２の孔３０２を閉塞させる。これにより、空気取り入れ口１４と床１６の下部とが、集熱部２、換気ユニット３，収集部４およびダクト５を介して連通した状態となる。このような状態において、制御盤７は、取り入れファン５２を駆動させる。すると、冷却空気は、換気ユニット３および収集部４を介してダクト５から床１６の下を通って家屋１１内部に供給される。これにより、家屋１１内部の温度を低下させることができる。
【００８２】
以上説明したように、本実施の形態によれば、換気ユニット３の下側筐体３０の底面３０ａに第１の孔３０１および第２の孔３０２を形成し、かつ、第１の孔３０１および第２のシャッタ部３０４を開閉する第４のシャッタ部３１１および第２の孔３０２を開閉する第２のシャッタ部３０４を設けることにより、上側筐体３２の開口３２ｂと第１の孔３０１および第２の孔３０２とを選択的に連通させることが可能となるので、上述した温風取り入れ動作、融雪運転動作、屋根熱排気動作、涼風取り入れ動作などの多様な動作を実現することができる。
【００８３】
なお、本実施の形態において、図２０（ａ），図２０（ｂ）に示すように、排気ファン３３を設けないようにしてもよい。排気ファン３３が設けられていた換気ユニット３の側面は、開口していたり、側面の中央部に開口が設けられたりすることにより、開口３４が位置している。なお、図２０（ａ），図２０（ｂ）に示すように側面の中央部に開口を設けた場合、その側面の蓋部３１１ａと当接する部分には、発泡体等を設けるようにしてもよい。これにより、換気ユニット３内部の気密性を向上させたり、蓋部３１１ａの縁部を保護することができる。
【００８４】
このような場合において、上述した「屋根熱排気動作」を行う場合、制御盤７は、図２０（ａ），図２０（ｂ）に示すように、第４のシャッタ部３１１の駆動部３１１ｂを駆動させて蓋部３１１ａを収集部４側に移動させることにより、第１の孔３０１および第２のシャッタ部３０４すなわち第２の孔３０２を閉塞させる。これにより、空気取り入れ口１４と開口３４とが集熱部２および換気ユニット３を介して連通した状態となる。このとき、集熱部２内部の加熱空気は、加熱されることにより上昇するため、集熱部２内部を自然に上昇する。したがって、空気取り入れ口１４から集熱部２内部に取り込まれた加熱空気は、集熱部２および換気ユニット３を介して開口３４から家屋１１外部に排出されることとなる。このように、排気ファン３３を設けない場合であっても、加熱空気は、自然に発生する上昇気流により家屋１１内部に取り込まれずに排出されることとなるので、家屋１１の温度が上昇するのを防ぐことができる。
【００８５】
このとき、制御盤７は、図２０（ａ）に示すように、第５のシャッタ部４３の駆動部を駆動させて蓋部４３１を筺体４１の上面側に移動させることにより第４の孔４１ｃを閉塞させるとともに第５の孔４１ｄを露出させ、かつ、取り入れファン５２を駆動させる。これにより、第５の孔４１ｄと床１６の下部とがダクト５を介して連通した状態となるので、第５の孔４１ｄから収集部４内部に取り込まれた上部空気は、ダクト５から床１６の下を通って家屋１１内部に供給される。このように、上部空気を床１６の下から供給して家屋１１内部の空気を循環させることにより、家屋１１内部の温度を均一に保つことができるとともに、家屋１１内部で生成された冷気を外部に逃すのを防ぐことができる。
【００８６】
なお、図２０（ａ），図２０（ｂ）のように排気ファン３３を設けない場合であっても、上述した図１６（ａ），図１６（ｂ），図１７（ａ），図１７（ｂ），図１９（ａ），図１９（ｂ）を参照して説明した「温風取り入れ動作」、「融雪運転動作」、「涼風取り入れ動作」を実現できることは言うまでもない。
【産業上の利用可能性】
【００８７】
本発明は、各種空調システムに適用することができる。
【図面の簡単な説明】
【００８８】
【図１】本発明の第１の換気システムの構成を模式的に示す図である。
【図２】図１のI-I線方向からの図である。
【図３】図１のII-II線方向からの図である。
【図４】（ａ）は換気ユニットの正面図、（ｂ）は換気ユニットの上面図、（ｃ）は換気ユニットの底面図、（ｄ）は換気ユニットの側面図である。
【図５】換気ユニットの内部構成を説明するための図である。
【図６】第２のシャッタ部の構成を示す図である。
【図７】第３のシャッタ部の構成を示す図である。
【図８】（ａ）図１のI-I線方向、（ｂ）図１のII-II線方向からの温風取り入れ動作を説明する図である。
【図９】（ａ）図１のI-I線方向、（ｂ）図１のII-II線方向からの融雪動作を説明する図である。
【図１０】（ａ）図１のI-I線方向、（ｂ）図１のII-II線方向からの屋内排気動作を説明する図である。
【図１１】（ａ）図１のI-I線方向、（ｂ）図１のII-II線方向からの涼風取り入れ動作を説明する図である。
【図１２】本発明の第２の換気システムの構成を模式的に示す図である。
【図１３】図１２のI-I線方向からの図である。
【図１４】図１２のII-II線方向からの図である。
【図１５】換気ユニットの内部構成を説明するための図である。
【図１６】（ａ）図１２のI-I線方向、（ｂ）図１２のII-II線方向からの温風取り入れ動作を説明する図である。
【図１７】（ａ）図１２のI-I線方向、（ｂ）図１２のII-II線方向からの融雪動作を説明する図である。
【図１８】（ａ）図１２のI-I線方向、（ｂ）図１２のII-II線方向からの屋根熱排気動作を説明する図である。
【図１９】（ａ）図１２のI-I線方向、（ｂ）図１２のII-II線方向からの涼風取り入れ動作を説明する図である。
【図２０】（ａ）図１２のI-I線方向、（ｂ）図１２のII-II線方向からの換気ユニットから排気ファンをとった場合における屋根熱排気動作を説明する図である。
【符号の説明】
【００８９】
１…換気システム、２…集熱部、３…換気ユニット、４…収集部、５…ダクト、６…ファン、７…制御盤、１１…家屋、１２…屋根、１３…屋根板、１４…空気取り入れ口、１５…空気流路、１６…床、３０…下側筐体、３０ａ…底面、３１…フランジ部、３２…上側筐体、３２ａ…側面、３２ｂ…開口、３３…排気ファン、３４…開口、４１…筐体、４１ａ…側面、４１ｂ…第３の孔、４１ｃ…第４の孔、４１ｄ…第５の孔、４２…第３のシャッタ部、４２ａ…蓋部、４２ｂ…支持部、４２ｃ…連結部材、４２ｄ…ガイド、４２ｅ…収容部、４２ｆ…側面、４２ｇ…磁石、４３…第５のシャッタ、４４…ダクト、５１…上部ダクト、５２…ダクトファン、５３…下部ダクト、７１…室温センサ、７２…外気温センサ、７３…棟温センサ、７４…降雪センサ、７５…入力装置、３０１…第１の孔、３０２…第２の孔、３０３…第１のシャッタ部、３０３ａ…蓋部、３０３ｂ…駆動部、３０４…第２のシャッタ部、３０４ａ…蓋部、３０４ｂ…支持部、３０４ｃ…連結部材、３０４ｄ…ガイド、３０４ｅ…収容部、３０４ｆ…側面、３０４ｇ…磁石、３１１…第４のシャッタ、３１１ａ…蓋部、３１１ｂ…駆動部、４３１…蓋部。
【図１】
2009058177.tif 000003
【図２】
2009058177.tif 000004
【図３】
2009058177.tif 000005
【図４】
2009058177.tif 000006
【図５】
2009058177.tif 000007
【図６】
2009058177.tif 000008
【図７】
2009058177.tif 000009
【図８】
2009058177.tif 000010
【図９】
2009058177.tif 000011
【図１０】
2009058177.tif 000012
【図１１】
2009058177.tif 000013
【図１２】
2009058177.tif 000014
【図１３】
2009058177.tif 000015
【図１４】
2009058177.tif 000016
【図１５】
2009058177.tif 000017
【図１６】
2009058177.tif 000018
【図１７】
2009058177.tif 000019
【図１８】
2009058177.tif 000020
【図１９】
2009058177.tif 000021
【図２０】
2009058177.tif 000022